【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
コンテンツを再生する再生装置において、
タイマ再生用コンテンツの入力を受け付ける第１のコンテンツ受付手段と、
予備コンテンツの入力を受け付ける第２のコンテンツ受付手段と、
コンテンツの再生予約時刻を計時する計時手段と、
前記計時手段からの時刻に基づき、前記再生予約時刻の所定時間前である再生準備時刻に、前記第１のコンテンツ受付手段からの前記タイマ再生用コンテンツの再生準備処理を開始し、前記再生予約時刻までに前記タイマ再生用コンテンツの前記再生準備処理が未完了であった場合には、前記第２のコンテンツ受付手段からの前記予備コンテンツの再生を開始するように制御する再生制御手段と、
を有することを特徴とする再生装置。
【請求項２】
前記第２のコンテンツ受付手段は、前記再生装置の内部に設けられた不揮発性記録媒体に記録された前記予備コンテンツを読み出すことを特徴とする請求項１記載の再生装置。
【請求項３】
前記第１のコンテンツ受付手段は、ネットワーク上のサーバ装置から前記タイマ再生用コンテンツを受信することを特徴とする請求項１記載の再生装置。
【請求項４】
前記タイマ再生用コンテンツの前記再生準備処理は、前記サーバ装置を起動させる処理を含み、
前記再生制御手段は、遅くとも前記再生予約時刻までに前記サーバ装置の起動が確認できない場合に、前記予備コンテンツの再生を開始させることを特徴とする請求項３記載の再生装置。
【請求項５】
前記タイマ再生用コンテンツの前記再生準備処理は、前記サーバ装置に対して前記タイマ再生用コンテンツの送信を要求し、その要求に応じて送信された前記タイマ再生用コンテンツを、再生開始のために必要なデータ量だけ受信する処理を含み、
前記再生制御手段は、前記再生予約時刻までに、前記サーバ装置から受信した前記タイマ再生用コンテンツを、再生開始のための必要なデータ量だけ前記再生装置内のバッファメモリに蓄積できなかった場合に、前記予備コンテンツの再生を開始させることを特徴とする請求項３記載の再生装置。
【請求項６】
前記再生制御手段は、さらに、前記サーバ装置からの前記タイマ再生用コンテンツの伝送速度が所定速度以下である場合にも、前記予備コンテンツの再生を開始させることを特徴とする請求項５記載の再生装置。
【請求項７】
前記タイマ再生用コンテンツの前記再生準備処理は、前記再生装置が直接接続された前記ネットワークにおける当該再生装置のネットワークアドレスを取得する処理を含み、
前記再生制御手段は、遅くとも前記再生予約時刻までに前記ネットワークアドレスが取得できない場合に、前記予備コンテンツの再生を開始させることを特徴とする請求項３記載の再生装置。
【請求項８】
前記第２のコンテンツ受付手段は、前記ネットワークに接続された、前記タイマ再生用コンテンツの送信元である第１のサーバ装置以外の第２のサーバ装置から、前記予備コンテンツを受信し、
前記再生制御手段は、前記タイマ再生用コンテンツの前記再生準備処理として、前記ネットワークに接続された前記サーバ装置を検出する処理を実行し、前記第２のサーバ装置が検出された場合には、前記タイマ再生用コンテンツの前記再生準備処理と並行して、前記第２のサーバ装置から前記予備コンテンツを受信して再生するための前記再生準備処理を実行し、前記再生予約時刻までに前記タイマ再生用コンテンツの前記再生準備処理が未完了であった場合には、前記第２のサーバ装置から受信した前記予備コンテンツの再生を開始するように制御することを特徴とする請求項３記載の再生装置。
【請求項９】
前記再生予約時刻と、前記再生準備時刻から前記再生予約時刻までの再生準備時間とを記憶する不揮発性の時間記憶手段をさらに有し、
前記再生制御手段は、前記時間記憶手段の記憶情報に基づいて前記再生準備時刻を判断することを特徴とする請求項１記載の再生装置。
【請求項１０】
前記タイマ再生用コンテンツの前記再生準備処理に要する時間を実測する時間計測手段と、
前記時間計測手段による実測値に基づいて、前記時間記憶手段に対して前記再生準備時間を設定する準備時間設定手段と、
をさらに有することを特徴とする請求項９記載の再生装置。
【請求項１１】
前記準備時間設定手段は、前記時間計測手段による実測値の履歴に基づいて、前記時間記憶手段に記憶された前記再生準備時間を更新することを特徴とする請求項１０記載の再生装置。
【請求項１２】
前記再生制御手段は、前記再生予約時刻が到来して、前記予備コンテンツの再生が開始された後も、前記タイマ再生用コンテンツの前記再生準備処理を継続して実行し、前記再生準備処理が完了した場合には、前記予備コンテンツの再生を停止させて、前記タイマ再生用コンテンツの再生を開始させることを特徴とする請求項１記載の再生装置。
【請求項１３】
前記第１のコンテンツ受付手段は、可搬型記録媒体に記録された前記タイマ再生用コンテンツを読み出すことを特徴とする請求項１記載の再生装置。
【請求項１４】
前記再生制御手段は、前記可搬型記録媒体が前記再生装置に装着されていないと判定した場合に、前記予備コンテンツの再生を開始させることを特徴とする請求項１３記載の再生装置。
【請求項１５】
前記第１のコンテンツ受付手段は、ラジオチューナであることを特徴とする請求項１記載の再生装置。
【請求項１６】
前記再生制御手段は、前記ラジオチューナにより受信されて復調されたオーディオ信号のレベルが所定レベル以下である場合に、前記予備コンテンツの再生を開始させることを特徴とする請求項１５記載の再生装置。
【請求項１７】
前記タイマ再生用コンテンツおよび前記予備コンテンツは、再生時に音声出力を伴うコンテンツであることを特徴とする請求項１記載の再生装置。
【請求項１８】
コンテンツを再生するための再生制御方法において、
計時手段が、コンテンツの再生予約時刻を計時し、
再生制御手段が、前記計時手段からの時刻に基づき、前記再生予約時刻の所定時間前である再生準備時刻に、第１のコンテンツ受付手段により受け付けられたタイマ再生用コンテンツの再生準備処理を開始し、
前記再生制御手段が、前記再生予約時刻までに前記タイマ再生用コンテンツの前記再生準備処理が未完了であった場合には、第２のコンテンツ受付手段により受け付けられた予備コンテンツの再生を開始させる、
ことを特徴とする再生制御方法。
【請求項１９】
コンテンツを再生する再生装置において、
コンテンツ出力装置から第１の再生用コンテンツが入力される第１のコンテンツ入力手段と、
前記コンテンツ出力装置に前記第１の再生用コンテンツの入力を要求する要求手段と、
第２の再生用コンテンツが入力される第２のコンテンツ入力手段と、
時刻を計時する計時手段と、
コンテンツの再生予約時刻を保持する予約時刻保持手段と、
前記計時手段による計時に基づき、前記再生予約時刻前に、前記コンテンツ出力装置に対して前記第１の再生用コンテンツの入力要求を前記要求手段を制御して行い、前記再生予約時刻までに前記コンテンツ出力装置からの前記第１の再生用コンテンツが未入力と判断されると、前記第２のコンテンツ入力手段に入力される前記第２の再生用コンテンツが再生されるように制御する制御手段と、
を有することを特徴とする再生装置。
【請求項２０】
コンテンツを再生するための再生制御方法において、
予約時刻保持手段が、コンテンツの再生予約時刻を保持し、
計時手段が、時刻を計時し、
制御手段が、前記計時手段による計時に基づき、前記再生予約時刻前に、コンテンツ出力装置に対して第１の再生用コンテンツの入力要求を行い、前記再生予約時刻までに前記コンテンツ出力装置から第１のコンテンツ入力手段に対して前記第１の再生用コンテンツが未入力と判断されると、第２のコンテンツ入力手段に入力される第２の再生用コンテンツが再生されるように制御する、
ことを特徴とする再生制御方法。
【手続補正２】
【補正対象書類名】明細書
【補正対象項目名】００１０
【補正方法】変更
【補正の内容】
【００１０】
本発明では上記課題を解決するために、コンテンツを再生する再生装置において、タイマ再生用コンテンツの入力を受け付ける第１のコンテンツ受付手段と、予備コンテンツの入力を受け付ける第２のコンテンツ受付手段と、コンテンツの再生予約時刻を計時する計時手段と、前記計時手段からの時刻に基づき、前記再生予約時刻の所定時間前である再生準備時刻に、前記第１のコンテンツ受付手段からの前記タイマ再生用コンテンツの再生準備処理を開始し、前記再生予約時刻までに前記タイマ再生用コンテンツの前記再生準備処理が未完了であった場合には、前記第２のコンテンツ受付手段からの前記予備コンテンツの再生を開始するように制御する再生制御手段と、を有することを特徴とする再生装置が提供される。
【手続補正３】
【補正対象書類名】明細書
【補正対象項目名】００１１
【補正方法】変更
【補正の内容】
【００１１】
このような再生装置では、再生制御手段の制御により、再生予約時刻の所定時間前である再生準備時刻になると、第１のコンテンツ受付手段からのタイマ再生用コンテンツの再生準備処理が開始される。そして、再生予約時刻までにタイマ再生用コンテンツの再生準備処理が未完了であった場合には、第２のコンテンツ受付手段からの予備コンテンツの再生が開始される。
【手続補正４】
【補正対象書類名】明細書
【補正対象項目名】００１２
【補正方法】変更
【補正の内容】
【００１２】
また、本発明では、コンテンツを再生する再生装置において、コンテンツ出力装置から第１の再生用コンテンツが入力される第１のコンテンツ入力手段と、前記コンテンツ出力装置に前記第１の再生用コンテンツの入力を要求する要求手段と、第２の再生用コンテンツが入力される第２のコンテンツ入力手段と、時刻を計時する計時手段と、コンテンツの再生予約時刻を保持する予約時刻保持手段と、前記計時手段による計時に基づき、前記再生予約時刻前に、前記コンテンツ出力装置に対して前記第１の再生用コンテンツの入力要求を前記要求手段を制御して行い、前記再生予約時刻までに前記コンテンツ出力装置からの前記第１の再生用コンテンツが未入力と判断されると、前記第２のコンテンツ入力手段に入力される前記第２の再生用コンテンツが再生されるように制御する制御手段と、を有することを特徴とする再生装置が提供される。
【手続補正５】
【補正対象書類名】明細書
【補正対象項目名】００１３
【補正方法】変更
【補正の内容】
【００１３】
このような再生装置では、制御手段の制御により、再生予約時刻前にコンテンツ出力装置に対して第１の再生用コンテンツの入力要求が発行される。そして、再生予約時刻までにコンテンツ出力装置からの第１の再生用コンテンツが未入力と判断されると、第２のコンテンツ入力手段に入力される第２の再生用コンテンツが再生される。
【手続補正６】
【補正対象書類名】明細書
【補正対象項目名】００１４
【補正方法】変更
【補正の内容】
【００１４】
本発明によれば、再生予約時刻にタイマ再生用コンテンツを再生できない場合には、第２のコンテンツ受付手段からの予備コンテンツが再生されるので、再生予約時刻に何のコンテンツも再生されない事態が防止され、タイマ再生機能を確実に作動させることができる。
【手続補正７】
【補正対象書類名】明細書
【補正対象項目名】００１５
【補正方法】変更
【補正の内容】
【００１５】
また、本発明によれば、再生予約時刻にコンテンツ出力装置からの第１の再生用コンテンツが入力されない場合には、第２のコンテンツ入力手段に入力される第２の再生用コンテンツが再生されるように制御されるので、再生予約時刻に何のコンテンツも再生されない事態が防止され、タイマ再生機能を確実に作動させることができる。